(57)【要約】【課題】誤って照明状態が変更されて記憶されることを防止する。【解決手段】照明負荷の調光レベルを設定するためのレベルスイッチ２４−１〜２４−８と；レベルスイッチ２４−１〜２４−８により設定された照明負荷の調光レベルが記憶される設定モードへの切換えを行う設定スイッチである保存スイッチ２８と；前記保存スイッチ２８の所定操作によって設定モードへ切換えられ、レベルスイッチ２４−１〜２４−８とシーン再生スイッチ２１が操作された場合に、操作されたシーン再生スイッチ２１に対応するシーンと照明負荷の調光レベルとを対応付けて記憶する制御手段であるメインＣＰＵ１１と；保存スイッチ２８の所定操作により記憶される照明負荷の調光レベルにより調光制御された場合の照明シーンを再生させるためのシーン再生スイッチ２１を具備する。【選択図】図１
2010205421.tif 000002
【特許請求の範囲】
【請求項１】
照明負荷の調光レベルを設定するためのレベルスイッチと；
レベルスイッチにより設定された照明負荷の調光レベルが記憶される設定モードへの切換えを行う設定スイッチと；
前記設定スイッチの所定操作によって設定モードへ切換えられ、レベルスイッチとシーン再生スイッチが操作された場合に、操作されたシーン再生スイッチに対応するシーンと照明負荷の調光レベルとを対応付けて記憶する制御手段と；
設定スイッチの所定操作により記憶される照明負荷の調光レベルにより調光制御された場合の照明シーンを再生させるためのシーン再生スイッチと
を具備することを特徴とする照明制御システム。
【請求項２】
前記レベルスイッチ、前記設定スイッチ、前記シーン再生スイッチ及び制御手段を備えた第１の端末と；
この第１の端末に接続され、前記シーン再生スイッチと、このシーン再生スイッチの操作情報を前記第１の端末に送信する送信手段とを備える第２の端末と
を具備することを特徴とする請求項１に記載の照明制御システム。
【請求項３】
照明負荷が接続され、調光信号を受けて前記照明負荷の調光制御を行う複数の調光制御器を備え、
第１の端末は、直接に前記複数の調光制御器へ調光制御信号を送信し、または、主操作盤を介して前記複数の調光制御器へ調光制御信号を送信することを特徴とする請求項２に記載の照明制御システム。
【発明の詳細な説明】
【技術分野】
【０００１】
本発明は、複数の照明負荷が設けられた所要領域の照明状態を様々に変更するような施設に用いる照明制御システムに関するものである。
【背景技術】
【０００２】
宴会場や会議場においては、所要領域を所要の調光レベルで照明するため、調光レベルを調整する調光スイッチや調光レベルを表示する発光インジケータを備えると共に、照明状態を記憶する記憶スイッチ、更には、記憶スイッチにより記憶された照明状態を再現させる再現スイッチなどが備えられた調光制御装置が知られている。
【０００３】
この調光制御装置においては、ある再現スイッチに対応して記憶している照明負荷の調光レベルを変更して記憶する場合には、調光スイッチを操作して調光レベルを変更し、記憶スイッチを押すことにより記憶が行われるようになっている（特許文献１、特に００３０欄参照）。
【発明の概要】
【発明が解決しようとする課題】
【０００４】
しかしながら、このように従来の装置では、単に記憶スイッチを操作することで記憶が行われてしまうので、誤操作によって記憶スイッチを操作した場合などに調光レベルの記憶が行われ、思わぬ照明状態が再現されてしまうという問題があった。
【０００５】
本発明は、上記のような従来の照明制御システムが有する問題点を解決せんとしてなされたもので、その目的は、誤操作によって照明状態が変更されて記憶されることがなく、また、必要な場合に適切に照明状態を変更して記憶することが可能な照明システムを提供することである。
【課題を解決するための手段】
【０００６】
本発明に係る照明制御システムは、照明負荷の調光レベルを設定するためのレベルスイッチと；レベルスイッチにより設定された照明負荷の調光レベルが記憶される設定モードへの切換えを行う設定スイッチと；
前記設定スイッチの所定操作によって設定モードへ切換えられ、レベルスイッチとシーン再生スイッチが操作された場合に、操作されたシーン再生スイッチに対応するシーンと照明負荷の調光レベルとを対応付けて記憶する制御手段と；設定スイッチの所定操作により記憶される照明負荷の調光レベルにより調光制御された場合の照明シーンを再生させるためのシーン再生スイッチとを具備することを特徴とする。
【０００７】
照明負荷としては、蛍光灯などでも良いが、徐々に調光（照明）状態を変更可能なＬＥＤや白熱灯が望ましい。データを記憶するための記憶するための記憶手段は、上記各スイッチが設けられた端末に設けても良いし、調光制御を統括する主操作盤に設けても良い。
【０００８】
本発明に係る照明制御システムは、前記レベルスイッチ、前記設定スイッチ、前記シーン再生スイッチ及び制御手段を備えた第１の端末と；この第１の端末に接続され、前記シーン再生スイッチと、このシーン再生スイッチの操作情報を前記第１の端末に送信する送信手段とを備える第２の端末とを具備することを特徴とする。
【０００９】
本発明に係る照明制御システムは、照明負荷が接続され、調光信号を受けて前記照明負荷の調光制御を行う複数の調光制御器を備え、第１の端末は、直接に前記複数の調光制御器へ調光制御信号を送信し、または、主操作盤を介して前記複数の調光制御器へ調光制御信号を送信することを特徴とする。
【００１０】
調光信号は、ＤＭＸ信号によって構築しても良いし、また、調光制御器に対して割り当てられたアドレスと調光レベルとをセットにした信号としても良い。
【発明の効果】
【００１１】
本発明に係る照明制御システムによれば、設定スイッチによって所定操作が行われて設定モードとなった状態においてレベルスイッチとシーン再生スイッチが操作された場合に、操作されたシーン再生スイッチに対応するシーンと照明負荷の調光レベルとを対応付けて記憶するので、設定スイッチによって所定操作が行われた状態になければ記憶されることが防止され、誤って照明状態が変更されて記憶されることがなく、また、必要な場合に適切に照明状態を変更して記憶することができる。
【００１２】
本発明に係る照明制御システムによれば、第１の端末と、シーン再生スイッチ、このシーン再生スイッチの操作情報を上記第１の端末に送信する送信手段とを備える第２の端末とを具備するので、第２の端末においてシーン再生スイッチを操作して、所望のシーンを再生することができ便利であると共に、第１の端末以外に設定スイッチが設けられていないので、シーンにおける照明状態の変更が第１の端末以外において行われることなく、安全である。
【００１３】
本発明に係る照明制御システムによれば、第１の端末は、直接に複数の調光制御器へ調光制御信号を送信し、または、主操作盤を介して前記複数の調光制御器へ調光制御信号を送信するので、いずれの態様によってもシステムを構築することができ、便利である。
【図面の簡単な説明】
【００１４】
【図１】本発明に係る照明制御システムの第１の実施形態の構成を示すブロック図。
【図２】本発明に係る照明制御システムの実施形態に用いられる仕込再生器の正面図。
【図３】図３に示した仕込再生器の内部構成を示すブロック図。
【図４】本発明に係る照明制御システムの実施形態に備えられる記憶手段の記憶内容の一例を示す図。
【図５】本発明に係る照明制御システムの実施形態による調光制御処理を説明するためのフローチャート。
【図６】図５のフローチャートの一部を詳細に示すフローチャート。
【図７】図５のフローチャートの一部を詳細に示すフローチャート。
【図８】本発明に係る照明制御システムの第２の実施形態の構成を示すブロック図。
【発明を実施するための形態】
【００１５】
以下、添付図面を参照して本発明に係る照明制御システムの第１の実施形態を説明する。各図において、同一の構成要素には、同一の符号を付し、重複する説明を省略する。このシステムにおいては、図１に示す通り、主操作盤１０、第１の端末である仕込再生器２０、第２の端末である再生器３０−１、３０−２、３０−３、・・・、調光制御器４０−１、４０−２、４０−３、・・・、照明負荷５１を主な構成要素としている。
【００１６】
主操作盤１０には、メインＣＰＵ１１が設けられ、メインＣＰＵ１１は伝送線１８を介して調光制御器４０−１、４０−２、４０−３、・・・に接続されている。調光制御器４０−１、４０−２、４０−３、・・・の間は、例えばカスケード接続とすることができる。メインＣＰＵ１１からは伝送線１８を介してＤＭＸ信号、アナログ０〜１０ＶまたはＰＷＭ信号等による調光信号が送られる。
【００１７】
上記ＤＭＸ信号は、米国劇場技術協会（ＵＳＩＴＴ）が規格した演出分野などに用いられるディジタル信号であり、調光制御用の調光信号の規格として用いられているＤＭＸ５１２を指している。ＤＭＸ５１２は、スタートビットとストップビットに挟まれたそれぞれが８ビットにより構成されるチャネルが５１２チャネル多重化された構成を１フレームとする信号であり、上記５１２チャネルにおける所定の１チャネルが２５６階調（８ビット）の調光信号として調光制御器へ送られる。１つの調光制御器に対しては、所定の１または複数のチャネルが割り当てられる。１フレームの開始検出は、ブレーク（ＢＲＥＡＫ）とスタートコードを検出することにより行われる。また、各調光制御器に対応するチャネルは、上記フレームの開始からスタートビットとストップビットに挟まれたチャネルが幾つ到来したかをカウントして検出する。
【００１８】
調光制御器４０−１、４０−２、４０−３、・・・は、調光信号を受けて照明負荷５１の調光制御を行うものである。ここに示されている調光制御器４０−１、４０−２、４０−３、・・・は、上記調光信号を受けて上記照明負荷５１の調光制御を行うものであり、接続されている照明負荷５１の数は一例に過ぎない。
【００１９】
主操作盤１０のメインＣＰＵ１１は、通信部１２及び端子台１３を介して仕込再生器２０の端子台２０ａ、再生器３０−１、３０−２、３０−３、・・・の端子台３１−１、３１−２、３１−３、・・・に接続されている。
【００２０】
更に、主操作盤１０には、ＤＣ電源部１４が設けられ、ＡＣ１００Ｖを複数電圧の直流に変換して主操作盤１０の所要各部に供給すると共に、端子台１３を介して仕込再生器２０、再生器３０−１、３０−２、３０−３、・・・へ供給している。
【００２１】
図２に、仕込再生器２０の正面図を示す。仕込再生器２０の筐体正面の右側領域には、「１」〜「８」の数字が付されたシーン再生スイッチ２１が３×３のマトリックス状に設けられている。シーン再生スイッチ２１におけるマトリックスの一角には、全ての照明負荷５１を消灯する全消灯スイッチ２２が設けられている。シーン再生スイッチ２１と全消灯スイッチ２２には、当該スイッチの操作により点灯されるＬＥＤ２３が埋設配置されている。
【００２２】
仕込再生器２０における筐体正面の中央部には、８条のレベルスイッチ２４−１〜２４−８が横方向に並べられて設けられている。このレベルスイッチ２４−１〜２４−８は、縦方向に細長い概ねＳ字状の形状の凹部を有し、この凹部にタッチパネルが配置され、タッチ操作位置が検出される構成となっており、下部から上部に向かって調光レベルの０％から１００％に対応付けられている。
【００２３】
レベルスイッチ２４−１〜２４−８は、縦方向に細長い概ねＳ字状の形状を有した凹部を備えるので、タッチ操作の際に概ねの調光レベルをタッチ操作位置によって分かり易く構成されている。レベルスイッチ２４−１〜２４−８の上部には、チャネル番号を示す数字「１」〜「８」が印刷されており、この数字「１」〜「８」の左側には、レベルスイッチ２４−１〜２４−８に対応して設定した調光レベルを輝度により表示するＬＥＤ２５−１〜２５−８が設けられている。
【００２４】
最も左に位置するレベルスイッチ２４−１の左側には、モードスイッチ２６、シフトスイッチ２７、設定スイッチである保存スイッチ２８が設けられている。モードスイッチ２６の左側には、モードが印刷されていると共に、現在のモードを点灯にて表示するＬＥＤ２３が設けられている。
【００２５】
選択可能なモードは、「ページ選択」、「チャネル選択」、「フェード時間」及び「マスターレベル」であり、モードスイッチ２５の操作毎に順次に上記モードが選択され、選択されたモードに対応するＬＥＤ２３が点灯される。シフトスイッチ２７は、「ページ」、「チャネル」、「フェード時間」を上下させるためのスイッチである。「マスターレベル」モードでは、全シーンの任意の８チャネルに設定した基準となる調光レベルをマスターレベルとして登録し、呼び出すことができるようになっている。
【００２６】
チャネルは、最大９９チャネル用意されており、各チャネルは、１または複数の調光制御器（４０−１、４０−２、４０−３、・・・）と対応付けられている。ページは、９ページであり、各ページ毎に９９チャネル用意されている。フェード時間は、０．１〜０．９秒の０．１秒毎、１秒〜５９秒までの１秒毎、１分〜９９分までの１分毎に設定可能である。
【００２７】
シフトスイッチ２７の左側には、７セグメントのＬＥＤが横２列に並べられ二桁の数字を表示する７セグＬＥＤ表示部２９が設けられており、レベルスイッチ２４−１〜２４−８の操作による調光レベル、選択されているページ、選択されているチャネル中の最下位チャネル、設定に係るフェード時間を表示するように構成されている。
【００２８】
保存スイッチ２８は、レベルスイッチ２４−１〜２４−８により設定された照明負荷５１の調光レベルを記憶するための設定モードへ切換えるためのスイッチである。シーン再生スイッチ２１に対応するシーンと照明負荷５１の調光レベル（この例では、所要ページの所要チャネル）とを対応付けて記憶する場合には、設定スイッチである保存スイッチ２８を所定操作（例えば、１〜３秒間の連続で押し続ける操作や所定時間内の複数押す操作等）した状態より、設定モードへ切換えてレベルスイッチ２４−１〜２４−８とシーン再生スイッチ２１を操作する必要がある。
【００２９】
仕込再生器２０は、例えば、図３に示されるように、ＣＰＵ６０に、操作部６１、表示部６２、インタフェース６３が接続された構成を備える。ここでは、操作部６１には、シーン再生スイッチ２１、全消灯スイッチ２２、レベルスイッチ２４−１〜２４−８、モードスイッチ２６、シフトスイッチ２７、保存スイッチ２８が含まれる。また、表示部６２には、ＬＥＤ２３、ＬＥＤ２５−１〜２５−８、７セグＬＥＤ表示部２９が含まれる。更に、インタフェース６３は、端子台２０ａを含み、主操作盤１０及び再生器３０−１、３０−２、３０−３、・・・との間で、例えばＲＳ４８５（米国電子工業会によって規格化された通信規格）に基づき通信を行う。
【００３０】
再生器３０−１、３０−２、３０−３、・・・は、レベルスイッチ２４−１〜２４−８、保存スイッチ２８を備えず、「フェード時間」及び「マスターレベル」モードを備えないもので、仕込再生器２０にて設定した所望のシーンを再生するために会議室の壁などの適宜な位置に設置されて用いられる。再生器３０−１、３０−２、３０−３、・・・のスイッチ操作情報は、仕込再生器２０側へ送信され、最終的には主操作盤10へ送信される。
【００３１】
この実施形態では、仕込再生器２０及び再生器３０−１、３０−２、３０−３、・・・から主操作盤１０へ向かっては、スイッチの操作情報が送られ、主操作盤１０から再生器３０−１、３０−２、３０−３、・・・へ向かっては、表示部６２に対する表示制御情報が送られる。
【００３２】
主操作盤１０のメインＣＰＵ１１は、レベルスイッチ２４−１〜２４−８により設定された照明負荷５１の調光レベルをシーンに対応して記憶するための、例えば、図４に示される記憶手段（メモリ部）８０を有している。図４は一つのページを示しており、このページが９ページ分存在する。各ページの左側には、シーン番号が付されており、各シーン番号に対応してチャネル番号が付され、チャネル番号に対応して調光レベルが記憶される。ここでは、チャネルは９９チャネルとして示しているが、最大９９チャネル設けられることを意味している。また、各シーン毎にフェード時間を設定して記憶可能にフェード時間の欄が設けられている。
【００３３】
記憶手段（メモリ部）８０には、シーン番号に対応してマスターレベルの欄が設けられており、シーン番号に対応してメインの調光レベルが記憶可能となっている。また、主操作盤１０のメインＣＰＵ１１は、チャネル番号と調光制御器４０−１、４０−２、４０−３、・・・との対応テーブルを有しており、チャネル番号に対応した調光制御器に対し所要の調光レベルとする調光信号を送信可能となっている。
【００３４】
主操作盤１０のメインＣＰＵ１１は、図５〜図７に示すフローチャートに対応するプログラム基づき、調光制御の動作を行うので、このフローチャートに沿って以下に動作説明を行う。仕込再生器２０、再生器３０−１、３０−２、３０−３、・・・のいずれかにおいてスイッチ操作がなされ、このスイッチ操作情報が主操作盤１０へ送られ、主操作盤１０のメインＣＰＵ１１がスイッチ操作情報を受け取る（Ｓ１１）。
【００３５】
メインＣＰＵ１１は、操作されたスイッチがどのスイッチであるか判定する処理を行う（Ｓ１２）。そして、設定スイッチである保存スイッチ２８が所定操作された状態かを検出する（Ｓ１３）。このステップＳ１３において設定スイッチである保存スイッチ２８が所定操作された状態であることを検出した場合には、設定モードを開始し（Ｓ１４）、記憶処理ルーチン（Ｌ２０）を実行し、ステップＳ１３において設定スイッチである保存スイッチ２８が所定操作状態でないことを検出した場合には、非記憶処理ルーチン（Ｌ３０）を実行する。
【００３６】
記憶ルーチン（Ｌ２０）の処理を図６のフローチャートに示す。記憶ルーチンにおいては、シーン再生スイッチ２１やモードスイッチ２５等の操作によりシーン或いはマスターレベルが選択されたかを検出して（Ｓ２１）、選択がなければステップＳ１１へ戻る。ステップＳ２１においてシーン或いはマスターレベルが選択されていることが検出されると、現在において選択されているシーンのシーン番号を検出し、記憶手段８０における当該シーン番号の記憶エリアにおいて、レベルスイッチ２４−１〜２４−８により設定された調光レベルを該当チャネル番号（またはマスターレベル）に記憶して（Ｓ２２）、ステップＳ１１へ戻る。
【００３７】
シーンの選択は、モードスイッチ２５とシフトスイッチ２７によりページを選択し、所望のシーン再生スイッチ２１を操作することにより行われる。そして、調光レベルの設定はレベルスイッチ２４−１〜２４−８を操作して行うが、第９チャネルより上位のチャネルに対する調光レベルについては、モードスイッチ２５の操作により「チャネル選択」のモードとし、シフトスイッチ２７の操作により所望のチャネルを７セグＬＥＤ表示部２９に表示させる。この場合、７セグＬＥＤ表示部２９に表示された数字のチャネルはレベルスイッチ２４−１に対応し、レベルスイッチ２４−１より右側のレベルスイッチは順次にチャネル番号が１ずつ増加したチャネルに対応する。
【００３８】
非記憶ルーチン（Ｌ３０）の処理を図７のフローチャートに示す。非記憶ルーチンにおいては、シーン再生スイッチ２１の操作によりシーンが選択されたかを検出する（Ｓ３１）。シーン再生スイッチ２１の操作によるシーンが選択なされた場合には、操作されたシーン再生スイッチ２１に対応するシーン番号を検出し、記憶手段８０における当該シーン番号の記憶エリアに記憶されている調光レベルを読み出し（Ｓ３２）、チャネル番号と調光制御器４０−１、４０−２、４０−３、・・・との対応テーブルを用いて該当チャネル番号に対応する調光制御器を求めて上記調光レベルの調光信号を送信する（Ｓ３３）。
【００３９】
ステップＳ３１において、シーン再生スイッチ２１の操作が検出されなければ、レベルスイッチ２４−１〜２４−８の操作がなされたかを検出する（Ｓ３４）。レベルスイッチ２４−１〜２４−８の操作がなされた場合には、既にシーン選択されているかを検出し（Ｓ３５）、既選択であればチャネル番号と調光制御器４０−１、４０−２、４０−３、・・・との対応テーブルを用いて、操作されたレベルスイッチに対応する調光制御器を求めて上記操作されたレベルスイッチに設定の調光レベルの調光信号を送信する（Ｓ３６）。これにより、シーンを選択した後に、所望の照明負荷について調光レベルを変更することが可能である。
【００４０】
ステップＳ３４において、レベルスイッチ２４−１〜２４−８の操作が検出されない場合やステップＳ３５において既にシーン選択されていることが検出されなければ、操作されたキーに対応する処理として、表示制御情報の送出等を行って（Ｓ３７）、ステップＳ１１へ戻る。以上の通り、設定スイッチである保存スイッチ２８が操作状態でない場合には、非記憶ルーチンの処理が行われるので、例えばレベルスイッチ２４−１〜２４−８の操作を行った後に設定スイッチである保存スイッチ２８を操作しても、このシーンにおける該当チャネルについて調光レベルが変更されて記憶されることはなく、意図しない記憶が行われる事態を防止できる。
【００４１】
図８には、第２の実施形態に係る照明制御システムの構成図が示されている。このシステムにおいては、図１に示した第１の実施形態に係る照明制御システムに備えられていた主操作盤１０を備えていない。また、第１の端末である仕込再生器２０Ａが主操作盤１０におけるメインＣＰＵ１１の機能を備えている。これ以外の構成は、第１の実施形態に係る照明制御システムと同一である。
【００４２】
従って、仕込再生器２０ＡのＣＰＵは、図４に示される記憶手段（メモリ部）８０を有し、図５〜図７に示すフローチャートに対応するプログラム基づき、調光制御の動作を行う。つまり、第１の実施形態に係る照明制御システムにおけるメインＣＰＵ１１に代ってカスケード接続された伝送線１９を介してＤＭＸ信号による調光信号が送られる。
【００４３】
この調光制御システムにおいても、設定スイッチである保存スイッチ２８が操作状態でない場合には、非記憶ルーチンの処理が行われるので、意図しない記憶が行われる事態を防止可能である。
【符号の説明】
【００４４】
１０  主操作盤
１１  メインＣＰＵ
２０、２０Ａ  仕込再生器
２１  シーン再生スイッチ
２４−１〜２４−８  レベルスイッチ
２５  モードスイッチ
２８  保存スイッチ
４０−１、４０−２、４０−３、・・・  調光制御器
８０  記憶手段
【先行技術文献】
【特許文献】
【００４５】
【特許文献１】特開２００８−２４３４９６号公報
【図１】
2010205421.tif 000003
【図２】
2010205421.tif 000004
【図３】
2010205421.tif 000005
【図４】
2010205421.tif 000006
【図５】
2010205421.tif 000007
【図６】
2010205421.tif 000008
【図７】
2010205421.tif 000009
【図８】
2010205421.tif 000010